(57)【要約】      （修正有）【課題】制御に使用する光を安定して検出することができる光ファイバ装置を提供する。【解決手段】光ファイバ装置は、第１の光Ｌ１を出射する第１光源４と、第１の光Ｌ１の波長と異なる波長である第２の光Ｌ２を出射する第２光源５と、第２の光Ｌ２を検出する検出部６と、第１光源４から出射される光Ｌ１が入射される第１光ファイバ７１と、第２光源５から出射される光Ｌ２が入射される第２光ファイバ７２と、第１光ファイバ７１から出射される光Ｌ１が入射される出力光ファイバ３１と、第１光ファイバ７１から出射される第１の光Ｌ１を透過し且つ第２光ファイバ７２から出射される第２の光Ｌ２を反射する反射部３２と、反射部３２で反射される第２の光Ｌ２が入射され、第２の光Ｌ２を、検出部６に向けて出射する検出光ファイバ７３と、第１光ファイバ７１、第２光ファイバ７２、及び検出光ファイバ７３の一方の端面側を結束する結束部７４と、を備える。【選択図】図２
2016191895.tif 000002
【特許請求の範囲】
【請求項１】
第１の光を出射する第１光源と、
前記第１の光の波長と異なる波長である第２の光を出射する第２光源と、
前記第２の光を検出する検出部と、
前記第１光源から出射される光が第１面に入射される第１光ファイバと、
前記第２光源から出射される光が第１面に入射される第２光ファイバと、
前記第１光ファイバの第２面から出射される光が第１面に入射される出力光ファイバと、
前記第１光ファイバの第２面から出射される第１の光を透過し且つ前記第２光ファイバの第２面から出射される第２の光を反射する反射部と、
前記反射部で反射される第２の光が第１面に入射され、該第２の光を、第２面から検出部に向けて出射する検出光ファイバと、
前記第１光ファイバの第２面側、前記第２光ファイバの第２面側、及び前記検出光ファイバの第１面側を結束する結束部と、を備える光ファイバ装置。
【請求項２】
前記反射部は、前記出力光ファイバの第１面と第１の光の進行方向上流側で離間する位置、又は、前記出力光ファイバの第１面と接する位置に、配置され、
前記第２光ファイバの第２面及び前記検出光ファイバの第１面は、前記反射部とそれぞれ離間して配置される請求項１に記載の光ファイバ装置。
【請求項３】
前記反射部は、前記出力光ファイバの第２面と接する位置、又は、前記出力光ファイバの第２面と第１の光の進行方向下流側で離間する位置に、配置される請求項１に記載の光ファイバ装置。
【請求項４】
前記反射部で反射される第２の光を前記反射部に向けて再び反射すべく、第１の光を透過し且つ第２の光を反射する再反射部を備え、
前記再反射部は、前記第１光ファイバの第１面と第１の光の進行方向上流側で離間する位置、前記第１光ファイバの第１面と接する位置、前記第１光ファイバの第２面と接する位置、又は、前記第１光ファイバの第２面と第１の光の進行方向下流側で離間する位置に、配置される請求項１〜３の何れか１項に記載の光ファイバ装置。
【発明の詳細な説明】
【技術分野】
【０００１】
本発明は、光ファイバを備える光ファイバ装置に関する。
【背景技術】
【０００２】
従来、光ファイバ装置として、光を出射する光源と、光源から出射される光が第１面に入射される光ファイバと、光ファイバの第２面から出射される光が第１面に入射される出力光ファイバとを備える光ファイバ装置が、知られている（例えば、特許文献１）。該光ファイバ装置は、出力光ファイバの第１面で反射される光が第１面に入射される検出光ファイバと、検出光ファイバの第２面から出射される光を検出する検出部とを備えている。
【０００３】
これにより、光ファイバ装置は、検出部で検出する光に基づいて、光源の出力を制御している。しかしながら、出力光ファイバの第１面で反射される光は、出力光ファイバの第１面に入射される光に対して、僅か（例えば、１〜４％）である。したがって、制御に使用する光を安定して検出することができない。
【先行技術文献】
【特許文献】
【０００４】
【特許文献１】特開２００４−  ８７９２５号公報
【発明の概要】
【発明が解決しようとする課題】
【０００５】
よって、本発明は、斯かる事情に鑑み、制御に使用する光を安定して検出することができる光ファイバ装置を提供することを課題とする。
【課題を解決するための手段】
【０００６】
光ファイバ装置は、第１の光を出射する第１光源と、前記第１の光の波長と異なる波長である第２の光を出射する第２光源と、前記第２の光を検出する検出部と、前記第１光源から出射される光が第１面に入射される第１光ファイバと、前記第２光源から出射される光が第１面に入射される第２光ファイバと、前記第１光ファイバの第２面から出射される光が第１面に入射される出力光ファイバと、前記第１光ファイバの第２面から出射される第１の光を透過し且つ前記第２光ファイバの第２面から出射される第２の光を反射する反射部と、前記反射部で反射される第２の光が第１面に入射され、該第２の光を、第２面から検出部に向けて出射する検出光ファイバと、前記第１光ファイバの第２面側、前記第２光ファイバの第２面側、及び前記検出光ファイバの第１面側を結束する結束部と、を備える。
【０００７】
また、光ファイバ装置においては、前記反射部は、前記出力光ファイバの第１面と第１の光の進行方向上流側で離間する位置、又は、前記出力光ファイバの第１面と接する位置に、配置され、前記第２光ファイバの第２面及び前記検出光ファイバの第１面は、前記反射部とそれぞれ離間して配置される、という構成でもよい。
【０００８】
また、光ファイバ装置においては、前記反射部は、前記出力光ファイバの第２面と接する位置、又は、前記出力光ファイバの第２面と第１の光の進行方向下流側で離間する位置に、配置される、という構成でもよい。
【０００９】
また、光ファイバ装置は、前記反射部で反射される第２の光を前記反射部に向けて再び反射すべく、第１の光を透過し且つ第２の光を反射する再反射部を備え、前記再反射部は、前記第１光ファイバの第１面と第１の光の進行方向上流側で離間する位置、前記第１光ファイバの第１面と接する位置、前記第１光ファイバの第２面と接する位置、及び、前記第１光ファイバの第２面と第１の光の進行方向下流側で離間する位置に、配置される、という構成でもよい。
【発明の効果】
【００１０】
以上の如く、本発明に係る光ファイバ装置は、制御に使用する光を安定して検出することができる、という優れた効果を奏する。
【図面の簡単な説明】
【００１１】
【図１】一実施形態に係る光ファイバ装置の全体概略図である。
【図２】同実施形態に係る光ファイバ装置の要部概略図である。
【図３】同実施形態に係る光ファイバ装置の要部断面図である。
【図４】他の実施形態に係る光ファイバ装置の要部概略図である。
【図５】さらに他の実施形態に係る光ファイバ装置の要部概略図である。
【図６】さらに他の実施形態に係る光ファイバ装置の要部断面図である。
【図７】さらに他の実施形態に係る光ファイバ装置の要部概略図である。
【図８】同実施形態に係る光ファイバ装置の要部断面図であって、第１の光を示す図である。
【図９】同実施形態に係る光ファイバ装置の要部断面図であって、第２の光を示す図である。
【図１０】さらに他の実施形態に係る光ファイバ装置の要部概略図である。
【図１１】同実施形態に係る光ファイバ装置の要部断面図であって、第１の光を示す図である。
【図１２】同実施形態に係る光ファイバ装置の要部断面図であって、第１の光を示す図である。
【図１３】同実施形態に係る光ファイバ装置の要部断面図であって、第２の光を示す図である。
【図１４】同実施形態に係る光ファイバ装置の要部断面図であって、第２の光を示す図である。
【図１５】さらに他の実施形態に係る光ファイバ装置の要部概略図である。
【図１６】同実施形態に係る光ファイバ装置の要部断面図であって、第１の光を示す図である。
【図１７】同実施形態に係る光ファイバ装置の要部断面図であって、第２の光を示す
【図１８】さらに他の実施形態に係る光ファイバ装置の要部断面図であって、第２の光を示す図である。
【図１９】さらに他の実施形態に係る光ファイバ装置の要部断面図である。
【発明を実施するための形態】
【００１２】
以下、光ファイバ装置における一実施形態について、図１〜図３を参酌して説明する。なお、各図（図４〜図１９も同様）において、図面の寸法比と実際の寸法比とは、必ずしも一致していない。
【００１３】
図１に示すように、本実施形態に係る光ファイバ装置１は、画像投影装置である。そして、光ファイバ装置１は、それぞれ異なる色の光を出射する複数（本実施形態においては３つ）の光源装置２（２Ｒ，２Ｇ，２Ｂ）と、光源装置２からの光で光画像を形成し、スクリーン２００に投影する画像投影部１００とを備えている。
【００１４】
光ファイバ装置１は、光源装置２から出射された光を画像投影部１００に入射する出力光ファイバ体３を備えている。また、光ファイバ装置１は、各部２，１００に電気を供給する電源１１０と、各部２，１００を制御する制御部１２０とを備えている。
【００１５】
光源装置２は、第１の色（例えば、赤色）の光を出射する第１の光源装置２Ｒと、第２の色（例えば、緑色）の光を出射する第２の光源装置２Ｇと、第３の色（例えば、青色）の光を出射する第３の光源装置２Ｂとを備えている。本実施形態においては、複数の光源装置２は、第１〜第３の色（各色波長領域）の光を分離した状態で画像投影部１００に向けて出射している。
【００１６】
本実施形態においては、第１の光源装置２Ｒは、赤色光を出射すべく、赤色波長領域である５９０〜６９３ｎｍ（特に、６１５ｎｍ〜６６５ｎｍ）の波長の光を出射している。第２の光源装置２Ｇは、緑色光を出射すべく、緑色波長領域である４９８〜５８０ｎｍ（特に、５２０ｎｍ〜５５５ｎｍ）の波長の光を出射している。第３の光源装置２Ｂは、青色光を出射すべく、青色波長領域である４１０〜４９６ｎｍ（特に、４４５ｎｍ〜４７５ｎｍ）の波長の光を出射している。
【００１７】
画像投影部１００は、光源装置２から出射された光を平行光とする平行光学系１０１を備えている。そして、画像投影部１００は、平行光学系１０１から出射された光を均一となるように拡散する均一化光学系（例えば、ロッドインテグレータ）１０２を備えている。
【００１８】
また、画像投影部１００は、均一化光学系１０２から出射された光が入射されて光画像を形成する画像形成光学系１０３を備えている。さらに、画像投影部１００は、画像形成光学系１０３から出射された光が入射されて且つ当該光をスクリーン２００に向けて投射する投影光学系１０４を備えている。
【００１９】
また、画像投影部１００は、各光学系１０１〜１０４を収容する画像投影本体部１０５を備えている。そして、出力光ファイバ体３は、光源装置２及び画像投影部１００とそれぞれ着脱可能に接続されており、光源装置２は、出力光ファイバ体３の一端部と接続される第１接続部２ａを備えており、画像投影部１００は、出力光ファイバ体３の他端部と接続される第２接続部１０６を備えている。
【００２０】
なお、画像形成光学系１０３は、図示していないが、光源装置２から出射された光で光画像を形成して出射する空間変調素子と、空間変調素子から出射された光を合成する光合成素子（例えば、ダイクロイックプリズム）を備えている。例えば、空間変調素子は、透過型液晶素子、反射型液晶素子、又はデジタルマイクロミラーデバイスである。また、投影光学系１０４は、画像形成光学系１０３の光画像をスクリーン２００で結像させている。例えば、投影光学系１０４は、投影レンズである。
【００２１】
図２に示すように、光源装置２は、第１の光Ｌ１を出射する複数（図２においては、三つ）の第１光源４と、第１の光Ｌ１の波長と異なる波長である第２の光Ｌ２を出射する第２光源５と、第２の光Ｌ２を検出する検出部６とを備えている。なお、図２（図３〜図１８も同様）において、第１の光Ｌ１は、一点鎖線で示され、第２の光Ｌ２は、破線で示されている。
【００２２】
光源装置２は、複数の光ファイバ７１〜７３を有する光ファイバユニット７を備えている。また、光源装置２は、第１接続部２ａに、光ファイバユニット７と出力光ファイバ体３とを接続する筒状の接続体８を備えている。なお、光源装置２は、各光源４，５、検出部６、及び光ファイバユニット７を収容する光源装置本体部９を備えている。
【００２３】
第１光源４は、図示していないが、光を発する発光素子（例えば、レーザ光を出射する半導体レーザ）を少なくとも一つ備えている。また、第１光源４は、必要に応じて、発光素子から出射されたレーザ光を光ファイバ（後述する、第１光ファイバ７１）に効率良く入射させるためのレンズ（例えば、コリメータレンズ、収束レンズ）を備えていてもよい。
【００２４】
本実施形態においては、第１の光Ｌ１は、可視光である。例えば、第１の光源装置２Ｒにおける第１光源４は、波長が５９０〜６９３ｎｍである光を出射し、第２の光源装置２Ｇにおける第１光源４は、波長が４９８〜５８０ｎｍである光を出射し、第３の光源装置２Ｂにおける第１光源４は、波長が４１０〜４９６ｎｍである光を出射している。
【００２５】
第２光源５は、図示していないが、光を発する発光素子（例えば、レーザ光を出射する半導体レーザ）を少なくとも一つ備えている。また、第２光源５は、必要に応じて、発光素子から出射されたレーザ光を光ファイバ（後述する、第２光ファイバ７２）に効率良く入射させるためのレンズ（例えば、コリメータレンズ、収束レンズ）を備えていてもよい。
【００２６】
第２の光Ｌ２は、第１の光Ｌ１の波長よりも長い波長としている。本実施形態においては、第２の光Ｌ２は、赤外光である。例えば、各光源装置２における第２光源５は、波長が７８０〜２０００ｎｍである光を出射している。
【００２７】
図２及び図３に示すように、出力光ファイバ体３は、第１面３１ａに入射される第１の光Ｌ１を第２面３１ｂから出射する出力光ファイバ３１と、第１の光Ｌ１を透過し且つ第２の光Ｌ２を反射する反射部３２とを備えている。また、出力光ファイバ体３は、出力光ファイバ３１の端部を内部で保持する筒状のフェルール３３を備えている。
【００２８】
反射部３２は、出力光ファイバ３１の第１面３１ａと接する位置に、配置されている。本実施形態においては、反射部３２は、出力光ファイバ３１の第１面３１ａに接合されている。例えば、反射部３２は、真空蒸着又はスパッタにより、誘電体多層膜（本実施形態においては、赤外光反射膜）を、出力光ファイバ３１の第１面３１ａに形成されて成る。また、反射部３２は、出力光ファイバ３１の第１面３１ａの全体に亘って配置されている。
【００２９】
フェルール３３は、接続体８の他方側に着脱可能に接続されている。例えば、フェルール３３は、袋ナット又はボルト等の固定機構（図示していない）により、接続体８の他方側に着脱可能に固定されている。なお、フェルール３３は、接着剤等により、接続体８に着脱不能に固定されていてもよい。
【００３０】
光ファイバユニット７は、第１光源４から出射された第１の光Ｌ１が第１面７１ａに入射される複数（図２及び図３においては、三つ）の第１光ファイバ７１を備えている。そして、光ファイバユニット７は、第２光源５から出射された第２の光Ｌ２が第１面７１ａに入射される第２光ファイバ７２を備えている。
【００３１】
また、光ファイバユニット７は、反射部３２で反射された第２の光Ｌ２が第１面７３ａに入射される検出光ファイバ７３を備えている。さらに、光ファイバユニット７は、各第１光ファイバ７１の第２面７１ｂ側と、第２光ファイバ７２の第２面７２ｂ側と、検出光ファイバ７３の第１面７３ａ側とを結束する結束部７４を備えている。
【００３２】
複数の第１光ファイバ７１の第２面７１ｂと、第２光ファイバ７２の第２面７２ｂと、検出光ファイバ７３の第１面７３ａとは、面一となるように配置されている。即ち、複数の第１光ファイバ７１の第２面７１ｂと、第２光ファイバ７２の第２面７２ｂと、検出光ファイバ７３の第１面７３ａとは、同一平面上に、配置されている。そして、複数の第１光ファイバ７１の第２面７１ｂ、第２光ファイバ７２の第２面７２ｂ、及び検出光ファイバ７３の第１面７３ａは、反射部３２とそれぞれ離間して配置されている。
【００３３】
結束部７４は、接続体８の一方側に着脱可能に接続されている。例えば、結束部７４は、袋ナット又はボルト等の固定機構（図示していない）により、接続体８の一方側に着脱可能に固定されている。なお、結束部７４は、接着剤等により、接続体８に着脱不能に固定されていてもよい。
【００３４】
各光ファイバ３１，７１〜７３は、中心部分に配置されて光を伝搬するコアと、コアの外側に配置され、コアよりも低い屈折率であるクラッドとを備えている。なお、図３（図６、８、９、１１〜１４、及び１６〜１８も同様）においては、各光ファイバ３１，７１〜７３は、コアのみ示している。
【００３５】
検出部６は、検出光ファイバ７３の第２面７３ｂから出射された第２の光Ｌ２を検出している。本実施形態においては、検出部６は、受光する光量を測定する光センサを備えている。なお、検出部６は、必要に応じて、検出光ファイバ７３の第２面７３ｂから出射された光を光センサに効率良く入射させるための光学系（レンズ等）を備えていてもよい。
【００３６】
本実施形態に係る光ファイバ装置１の構成については以上の通りであり、次に、本実施形態に係る光ファイバ装置１の第２の光Ｌ２の検出方法について説明する。
【００３７】
各第１光源４が、第１の光Ｌ１を出射し、第２光源５が、第２の光Ｌ２を出射する。そして、第１の光Ｌ１は、第１光ファイバ７１の第１面７１ａに入射した後、第１光ファイバ７１の第２面７１ｂから出力光ファイバ３１の第１面３１ａに向けて出射する。また、第２の光Ｌ２は、第２光ファイバ７２の第１面７２ａに入射した後、第２光ファイバ７２の第２面７２ｂから出力光ファイバ３１の第１面３１ａに向けて出射する。
【００３８】
その後、出力光ファイバ３１の第１面３１ａに向けて出射された第１及び第２の光Ｌ１，Ｌ２は、出力光ファイバ３１の第１面３１ａに接合されている反射部３２に入射される。ここで、第１の光Ｌ１は、反射部３２を透過する一方、第２の光Ｌ２は、反射部３２で反射される。
【００３９】
そして、反射部３２を透過した第１の光Ｌ１は、出力光ファイバ３１の第１面３１ａに入射され、その後、出力光ファイバ３１の第２面３１ｂから画像投影部１００に向けて出射する。即ち、画像投影装置である光ファイバ装置１は、反射部３２を透過した第１の光Ｌ１を、投射光として用いている。
【００４０】
一方、反射部３２で反射された第２の光Ｌ２は、検出光ファイバ７３の第１面７３ａに入射され、その後、検出光ファイバ７３の第２面７３ｂから検出部６に向けて出射する。そして、検出部６は、投射光として用いる第１の光Ｌ１の波長と異なる波長である第２の光Ｌ２を、安定して検出し、制御部１２０は、検出部６で検出する第２の光Ｌ２に基づいて、各種の制御に使用する。
【００４１】
例えば、出力光ファイバ３１の第１面３１ａが汚れたり又は劣化したり、出力光ファイバ３１の一方側（第１面３１ａ側）の端部が、接続体８の所定の位置から位置ずれしたり又は取り外れたりした場合には、検出部６で検出する第２の光Ｌ２の光量が低下する。したがって、このような出力光ファイバ３１の異常を正確に検出することができる。
【００４２】
なお、制御部１２０は、検出部６で検出する第２の光Ｌ２の光量に基づいて、各光ファイバ３１，７１〜７３の正常又は異常を判定する。そして、制御部１２０は、各光ファイバ３１，７１〜７３が異常であると判定した際に、電源１１０が各光源４，５に電気を供給することを停止するように、電源１１０を制御すると共に、外部へ出力（警報出力、表示出力）する。
【００４３】
以上より、本実施形態に係る光ファイバ装置１は、第１の光Ｌ１を出射する第１光源４と、前記第１の光Ｌ１の波長と異なる波長である第２の光Ｌ２を出射する第２光源５と、前記第２の光Ｌ２を検出する検出部６と、前記第１光源４から出射される光が第１面７１ａに入射される第１光ファイバ７１と、前記第２光源５から出射される光が第１面７２ａに入射される第２光ファイバ７２と、前記第１光ファイバ７１の第２面７１ｂから出射される光が第１面３１ａに入射される出力光ファイバ３１と、前記第１光ファイバ７１の第２面７１ｂから出射される第１の光Ｌ１を透過し且つ前記第２光ファイバ７２の第２面７２ｂから出射される第２の光Ｌ２を反射する反射部３２と、前記反射部３２で反射される第２の光Ｌ２が第１面７３ａに入射され、該第２の光Ｌ２を、第２面７３ｂから検出部６に向けて出射する検出光ファイバ７３と、前記第１光ファイバ７１の第２面７１ｂ側、前記第２光ファイバ７２の第２面７２ｂ側、及び前記検出光ファイバ７３の第１面７３ａ側を結束する結束部７４と、を備える。
【００４４】
斯かる構成によれば、第１光源４が、第１の光Ｌ１を出射し、そして、第１光源４から出射される光が、第１光ファイバ７１の第１面７１ａに入射される。また、第２光源５が、第１の光Ｌ１の波長と異なる波長である第２の光Ｌ２を出射し、そして、第２光源５から出射される光が、第２光ファイバ７２の第１面７２ａに入射される。
【００４５】
その後、第１光ファイバ７１の第２面７１ｂから出射された第１の光Ｌ１は、反射部３２を透過する一方、第２光ファイバ７２の第２面７２ｂから出射される第２の光Ｌ２は、反射部３２で反射される。そして、反射部３２で反射される第２の光Ｌ２が検出光ファイバ７３の第１面７３ａに入射され、検出光ファイバ７３の第２面７３ｂから出射される第２の光Ｌ２が、検出部６で検出される。これにより、第１の光Ｌ１の波長と異なる波長である第２の光Ｌ２を制御に使用することで、制御に使用する光を安定して検出することができる。
【００４６】
また、結束部７４は、第１光ファイバ７１の第２面７１ｂ側と、第２光ファイバ７２の第２面７２ｂ側と、検出光ファイバ７３の第１面７３ａ側とを結束している。これにより、例えば、結束部７４が接続体８に接続されるため、光ファイバユニット７（具体的には、第１光ファイバ７１、第２光ファイバ７２、及び検出用光ファイバ７３）を接続体８に容易に接続することができる。
【００４７】
また、本実施形態に係る光ファイバ装置１においては、前記反射部３２は、前記出力光ファイバ３１の第１面３１ａと第１の光Ｌ１の進行方向上流側で離間する位置、又は、前記出力光ファイバ３１の第１面３１ａと接する位置（具体的には、前記出力光ファイバ３１の第１面３１ａと接する位置）に、配置され、前記第２光ファイバ７２の第２面７２ｂ及び前記検出光ファイバ７３の第１面７３ａは、前記反射部３２とそれぞれ離間して配置される、という構成である。
【００４８】
斯かる構成によれば、反射部３２は、出力光ファイバ３１の第１面３１ａと第１の光Ｌ１の進行方向上流側で離間する位置、又は、出力光ファイバ３１の第１面３１ａと接する位置（具体的には、前記出力光ファイバ３１の第１面３１ａと接する位置）に配置されている。そして、第２光ファイバ７２の第２面７２ｂが反射部３２と離間して配置されていると共に、検出光ファイバ７３の第１面７３ａが反射部３２と離間して配置されている。
【００４９】
これにより、第２光ファイバ７２の第２面７２ｂから出射した第２の光Ｌ２は、反射部３２で反射し、その後、検出光ファイバ７３の第１面７３ａに入射される。その後、第２の光Ｌ２は、検出光ファイバ７３の第２面７３ｂから検出部６に向けて出射するため、検出部６で第２の光Ｌ２を検出することができる。
【００５０】
なお、光ファイバ装置は、上記した実施形態の構成に限定されるものではなく、また、上記した作用効果に限定されるものではない。また、光ファイバ装置は、本発明の要旨を逸脱しない範囲内において種々変更を加え得ることは勿論である。例えば、下記する各種の変更例に係る構成や方法等を任意に選択して、上記した実施形態に係る構成や方法等に採用してもよいことは勿論である。
【００５１】
上記実施形態に係る光ファイバ装置においては、反射部３２は、出力光ファイバ３１の第１面３１ａと接する位置に、配置される、という構成である。しかしながら、光ファイバ装置は、斯かる構成に限られない。
【００５２】
例えば、光ファイバ装置においては、図４に示すように、反射部３２は、出力光ファイバ３１の第２面３１ｂと接する位置に、配置される、という構成でもよい。また例えば、光ファイバ装置においては、反射部３２は、出力光ファイバ３１の第２面３１ｂと第１の光Ｌ１の進行方向下流側で離間する位置に、配置される、という構成でもよい。また例えば、光ファイバ装置においては、反射部３２は、出力光ファイバ３１の第１面３１ａと第１の光Ｌ１の進行方向上流側で離間する位置に、配置される、という構成（図１８参照）でもよい。
【００５３】
図４に係る光ファイバ装置においては、反射部３２は、出力光ファイバ３１の第２面３１ｂに接合されている。図４に係る光ファイバ装置における第２の光Ｌ２の検出方法について、以下に、説明する。
【００５４】
まず、第１光源４から出射された第１の光Ｌ１は、第１光ファイバ７１を経由し、出力光ファイバ３１の第１面３１ａに入射する。また、第２光源５から出射された第２の光Ｌ２は、第２光ファイバ７２を経由し、出力光ファイバ３１の第１面３１ａに入射する。
【００５５】
その後、出力光ファイバ３１の第１面３１ａに入射された第１及び第２の光Ｌ１，Ｌ２は、出力光ファイバ３１の第２面３１ｂに接合されている反射部３２に入射される。ここで、第１の光Ｌ１は、反射部３２を透過する一方、第２の光Ｌ２は、反射部３２で反射される。そして、反射部３２を透過した第１の光Ｌ１は、投射光として用いられるべく、画像投影部１００に向けて出射する。
【００５６】
一方、反射部３２で反射された第２の光Ｌ２は、出力光ファイバ３１の第１面３１ａから出射し、検出光ファイバ７３の第１面７３ａに入射する。その後、第２の光Ｌ２は、検出光ファイバ７３の第２面７３ｂから出射し、検出部６で検出される。図４に係る光ファイバ装置においては、第２の光Ｌ２が出力光ファイバ３１内を透過するため、例えば、出力光ファイバ３１内の劣化等を検出することができる。
【００５７】
図５に係る光ファイバ装置においては、反射部３２は、出力光ファイバ３１の第２面３１ｂと第１の光Ｌ１の進行方向下流側（図５において、右側）に離間する位置に、配置されている。具体的には、反射部３２は、平行光学系１０１の入射面に接合されている。図５に係る光ファイバ装置における第２の光Ｌ２の検出方法について、以下に、説明する。
【００５８】
まず、第１光源４から出射された第１の光Ｌ１は、第１光ファイバ７１を経由し、出力光ファイバ３１の第１面３１ａに入射する。また、第２光源５から出射された第２の光Ｌ２は、第２光ファイバ７２を経由し、出力光ファイバ３１の第１面３１ａに入射する。
【００５９】
その後、出力光ファイバ３１の第１面３１ａに入射された第１及び第２の光Ｌ１，Ｌ２は、出力光ファイバ３１の第２面３１ｂから出射し、平行光学系１０１に接合される反射部３２に入射される。ここで、第１の光Ｌ１は、反射部３２を透過する一方、第２の光Ｌ２は、反射部３２で反射される。そして、反射部３２を透過した第１の光Ｌ１は、投射光として用いられるべく、均一化光学系１０２に向けて出射する。
【００６０】
一方、反射部３２で反射された第２の光Ｌ２は、出力光ファイバ３１の第２面３１ｂから入射して、出力光ファイバ３１の第１面３１ａから出射する。その後、第２の光Ｌ２は、検出光ファイバ７３を経由して、検出部６で検出される。図５に係る光ファイバ装置においては、第２の光Ｌ２が出力光ファイバ３１内を透過したり、平行光学系１０１に入射したりするため、例えば、出力光ファイバ３１内の劣化や平行光学系１０１の汚れ等を検出することができる。
【００６１】
なお、図５に係る反射部３２は、平行光学系１０１に接合されている、という構成であるが、斯かる構成に限られない。例えば、反射部３２は、均一化光学系１０２に接合されている、という構成でもよく、また例えば、反射部３２は、各光学系１０１，１０２から離間した光学素子である、という構成でもよい。
【００６２】
また、上記実施形態に係る光ファイバ装置においては、複数の第１光ファイバ７１の第２面７１ｂと、第２光ファイバ７２の第２面７２ｂと、検出光ファイバ７３の第１面７３ａとは、面一となるように配置され、出力光ファイバ３１の第１面３１ａから同じ距離だけ離れている、という構成である。しかしながら、光ファイバ装置は、斯かる構成に限られない。
【００６３】
例えば、光ファイバ装置においては、図６に示すように、複数の第１光ファイバ７１の第２面７１ｂは、第２光ファイバ７２の第２面７２ｂよりも、出力光ファイバ３１の第１面３１ａに接近していると共に、複数の第１光ファイバ７１の第２面７１ｂは、検出光ファイバ７３の第１面７３ａよりも、出力光ファイバ３１の第１面３１ａに接近している、という構成でもよい。
【００６４】
斯かる構成によれば、複数の第１光ファイバ７１の第２面７１ｂは、出力光ファイバ３１の第１面３１ａに接近して配置されている。これにより、例えば、第１光ファイバ７１の第２面７１ｂから出射される第１の光Ｌ１が、徐々に広がる（発散する）光である場合でも、当該第１の光Ｌ１を、出力光ファイバ３１のコアに全て（又は大部分）入射させることができる。
【００６５】
図６においては、第２光ファイバ７２の第２面７２ｂと、検出光ファイバ７３の第１面７３ａとは、面一となるように配置され、出力光ファイバ３１の第１面３１ａから同じ距離だけ離れている、という構成である。また、第２光ファイバ７２と、検出光ファイバ７３とは、隣接して配置されている。なお、図６に係る反射部３２は、出力光ファイバ３１の第１面３１ａのうち、第２光ファイバ７２の第２面７２ｂと検出光ファイバ７３の第１面７３ａと対面している一部の領域のみに配置されていてもよい。
【００６６】
また、上記実施形態に係る光ファイバ装置１においては、第２光源５は、第２の光Ｌ２を出射する、という構成である。しかしながら、光ファイバ装置は、斯かる構成に限られない。例えば、光ファイバ装置においては、第２光源５は、第２の光Ｌ２だけでなく、第１の光Ｌ１も出射する、という構成でもよい。
【００６７】
また、上記実施形態に係る光ファイバ装置１においては、第１光ファイバ７１と第２光ファイバ７２とは、異なる光ファイバである、という構成である。しかしながら、光ファイバ装置は、斯かる構成に限られない。例えば、光ファイバ装置においては、第１光ファイバ７１と第２光ファイバ７２とは、同じ光ファイバである、という構成でもよい。即ち、所定の光ファイバは、第１光ファイバ７１と第２光ファイバ７２との双方の機能を兼用するように用いられる、という構成でもよい。
【００６８】
また、上記実施形態に係る光ファイバ装置１においては、第１光ファイバ７１と検出光ファイバ７３とは、異なる光ファイバである、という構成である。しかしながら、光ファイバ装置は、斯かる構成に限られない。例えば、光ファイバ装置においては、第１光ファイバ７１と検出光ファイバ７３とは、同じ光ファイバである、という構成でもよい。即ち、所定の光ファイバは、第１光ファイバ７１と検出光ファイバ７３との双方の機能を兼用するように用いられる、という構成でもよい。
【００６９】
また、上記実施形態に係る光ファイバ装置１においては、光ファイバユニット７は、複数の第１光ファイバ７１を備えている、という構成である。しかしながら、光ファイバ装置は、斯かる構成に限られない。例えば、光ファイバ装置においては、光ファイバユニット７は、一つの第１光ファイバ７１を備えている、という構成でもよい。
【００７０】
また、上記実施形態に係る光ファイバ装置１においては、検出部６は、受光する光量を検出する機構、例えば、光センサを備える、という構成である。しかしながら、光ファイバ装置は、斯かる構成に限られない。例えば、光ファイバ装置においては、検出部６は、受光する熱量を検出する機構、例えば、熱センサを備える、という構成でもよい。
【００７１】
また、上記実施形態に係る光ファイバ装置１においては、第１の光Ｌ１は、可視光である、という構成である。しかしながら、光ファイバ装置は、斯かる構成に限られない。例えば、光ファイバ装置においては、第１の光Ｌ１は、紫外光である、という構成でもよく、赤外光である、という構成でもよい。
【００７２】
また、上記実施形態に係る光ファイバ装置１においては、第２の光Ｌ２は、第１の光Ｌ１の波長よりも長い波長の光である、という構成である。しかしながら、光ファイバ装置は、斯かる構成に限られない。例えば、光ファイバ装置においては、第２の光Ｌ２は、第１の光Ｌ１の波長よりも短い波長の光である、という構成でもよい。例えば、第２の光Ｌ２は、紫外光である、という構成でもよく、また、第１の光Ｌ１の波長と異なる波長である可視光である、という構成でもよい。
【００７３】
また、上記実施形態に係る光ファイバ装置１においては、画像投影部１００は、第１〜第３の色の光を分離した状態で入射される、という構成である。しかしながら、光ファイバ装置は、斯かる構成に限られない。例えば、光ファイバ装置においては、画像投影部１００は、第１〜第３の色の光を合成された状態で入射され、当該合成された光を、第１〜第３の色の光に分離した後、画像形成光学系１０３に入射させる、という構成でもよい。
【００７４】
また、上記実施形態に係る光ファイバ装置１は、画像投影装置である、という構成である。しかしながら、光ファイバ装置は、斯かる構成に限られない。例えば、光ファイバ装置は、光を用いて露光を行う露光装置である、という構成でもよく、所定領域を照らす照明装置である、という構成でもよい。
【００７５】
また、光ファイバ装置は、図７〜図１８に示すように、反射部３２で反射される第２の光Ｌ２を反射部３２に向けて再び反射すべく、第１の光Ｌ１を透過し且つ第２の光Ｌ２を反射する再反射部１１を備える、という構成でもよい。
【００７６】
例えば、再反射部１１は、図７〜図９に示すように、第１光ファイバ７１の第２面７１ｂと接する位置に、配置されてもよい。また例えば、再反射部１１は、図１０〜図１４に示すように、第１光ファイバ７１の第１面７１ａと接する位置に、配置されてもよい。
【００７７】
また例えば、再反射部１１は、図１５〜図１７に示すように、第１光ファイバ７１の第１面７１ａと第１の光Ｌ１の進行方向上流側で離間する位置に、配置されてもよい。また例えば、再反射部１１は、図１８に示すように、第１光ファイバ７１の第２面７１ｂと第１の光Ｌ１の進行方向下流側で離間する位置に、配置されてもよい。
【００７８】
斯かる構成によれば、再反射部１１は、第１の光Ｌ１を透過する一方、第２の光Ｌ２を反射する。そして、再反射部１１は、第１光ファイバ７１の第１面７１ａと第１の光Ｌ１の進行方向上流側で離間する位置、第１光ファイバ７１の第１面７１ａと接する位置、第１光ファイバ７１の第２面７１ｂと接する位置、又は、第１光ファイバ７１の第２面７１ｂと第１の光Ｌ１の進行方向下流側で離間する位置に、配置されている。
【００７９】
これにより、再反射部１１は、反射部３２で反射された第２の光Ｌ２のうち、第１光ファイバ７１に入射しようとする又は入射した光を、反射部３２に向けて再び反射する。そして、第２の光Ｌ２が反射部３２と再反射部１１との間で反射を繰り返すことにより、例えば、第２の光Ｌ２が検出光ファイバ７３の第１面７３ａに向けて案内される。これにより、検出部６で第２の光Ｌ２を安定して検出することができる
【００８０】
また、第２の光Ｌ２が反射部３２と再反射部１１との間で反射を繰り返すことにより、例えば、反射部３２の全領域（又は大部分の領域）に亘って反射した第２の光Ｌ２が、検出光ファイバ７３を経由して、検出部６で検出される。これにより、例えば、出力光ファイバ３１の第１の面３１ａが汚れたり又は劣化したりするという異常を検出する際に、出力光ファイバ３１の第１の面３１ａにおける検出可能な領域を広くすることができる。
【００８１】
図７〜図９に係る再反射部１１は、第１光ファイバ７１の第２面７１ｂと接する位置に、配置されている。具体的には、再反射部１１は、複数の第１光ファイバ７１の第２面７１ｂの全体に亘って接合されている。図７〜図９に係る光ファイバ装置における第２の光Ｌ２の検出方法について、以下に、説明する。
【００８２】
図７及び図８に示すように、第１光源４から出射された第１の光Ｌ１は、第１光ファイバ７１の第１面７１ａから入射し、第１光ファイバ７１の第２面７１ｂに接合されている再反射部１１に入射する。ここで、第１の光Ｌ１は、再反射部１１を透過する。
【００８３】
その後、第１の光Ｌ１は、出力光ファイバ３１の第１面３１ａに接合している反射部３２に入射する。ここで、第１の光Ｌ１は、反射部３２を透過する。そして、反射部３２を透過した第１の光Ｌ１は、投射光として用いられるべく、出力光ファイバ３１を経由して、画像投影部１００に向けて出射する。
【００８４】
次に、図９に示すように、第２光源５から出射された第２の光Ｌ２は、第２光ファイバ７２を経由して、出力光ファイバ３１の第１面３１ａに接合されている反射部３２に入射する。ここで、第２の光Ｌ２は、反射部３２で反射される。そして、反射部３２で反射された第２の光Ｌ２は、第１光ファイバ７１の第２面７１ｂに接合されている再反射部１１に入射し、該再反射部１１で反射される。
【００８５】
その後、第２の光Ｌ２は、反射部３２と再反射部１１との間で反射を繰り返すことにより、検出光ファイバ７３の第１面７３ａに向けて案内される。そして、検出光ファイバ７３の第１面７３ａに入射された第２の光Ｌ２は、検出光ファイバ７３の第２面７３ｂから出射し、検出部６で検出される。
【００８６】
図１０〜図１４に係る再反射部１１は、第１光ファイバ７１の第１面７１ａと接する位置に、配置されている。具体的には、再反射部１１は、各第１光ファイバ７１の第１面７１ａに接合されている。図１０〜図１４に係る光ファイバ装置における第２の光Ｌ２の検出方法について、以下に、説明する。
【００８７】
図１０〜図１２に示すように、第１光源４から出射された第１の光Ｌ１は、第１光ファイバ７１の第１面７１ａに接合されている再反射部１１に入射する。ここで、第１の光Ｌ１は、再反射部１１を透過する。
【００８８】
その後、第１の光Ｌ１は、第１光ファイバ７１を経由して、出力光ファイバ３１の第１面３１ａに接合している反射部３２に入射する。ここで、第１の光Ｌ１は、反射部３２を透過する。そして、反射部３２を透過した第１の光Ｌ１は、投射光として用いられるべく、出力光ファイバ３１を経由して、画像投影部１００に向けて出射する。
【００８９】
次に、図１０及び図１３〜図１４に示すように、第２光源５から出射された第２の光Ｌ２は、第２光ファイバ７２を経由して、出力光ファイバ３１の第１面３１ａに接合されている反射部３２に入射する。ここで、第２の光Ｌ２は、反射部３２で反射される。そして、反射部３２で反射された第２の光Ｌ２は、第１光ファイバ７１の第２面７１ｂに入射し、第１光ファイバ７１の第１面７１ａに接合されている再反射部１１に入射する。ここで、第２の光Ｌ２は、再反射部１１で反射される。
【００９０】
その後、第２の光Ｌ２は、第１光ファイバ７１を経由して、反射部３２と再反射部１１との間で反射を繰り返すことにより、検出光ファイバ７３の第１面７３ａに向けて案内される。そして、検出光ファイバ７３の第１面７３ａに入射された第２の光Ｌ２は、検出光ファイバ７３の第２面７３ｂから出射し、検出部６で検出される。図１０〜図１４に係る光ファイバ装置においては、第２の光Ｌ２が第１光ファイバ７１内を透過するため、例えば、第１光ファイバ７１内の劣化等を検出することができる。
【００９１】
図１５〜図１７に係る再反射部１１は、第１光ファイバ７１の第１面７１ａと第１の光Ｌ１の進行方向上流側で離間する位置に、配置されている。具体的には、再反射部１１は、各第１光源４と各第１光ファイバ７１の第１面７１ａとの間に配置されている。図１５〜図１７に係る光ファイバ装置における第２の光Ｌ２の検出方法について、以下に、説明する。
【００９２】
図１５及び図１６に示すように、第１光源４から出射された第１の光Ｌ１は、再反射部１１に入射する。ここで、第１の光Ｌ１は、再反射部１１を透過する。そして、再反射部１１を透過した第１の光Ｌ１は、第１光ファイバ７１の第１面７１ａに入射する。その後の第１の光Ｌ１は、図１０〜図１４に係る光ファイバ装置と同様に、出力光ファイバ３１を経由して、画像形成部１００に向けて出射する。
【００９３】
次に、図１５及び図１７に示すように、第２光源５から出射された第２の光Ｌ２は、図１０〜図１４に係る光ファイバ装置と同様に、反射部３２で反射された後、第１光ファイバ７１の第２面７１ｂに入射する。その後、第２の光Ｌ２は、第１光ファイバ７１の第１面７１ａから出射し、再反射部１１に入射する。ここで、第２の光Ｌ２は、再反射部１１で反射される。
【００９４】
その後、再反射部１１で反射された第２の光Ｌ２は、第１光ファイバ７１の第１面７１ａに入射する。その後の第２の光Ｌ２は、図１０〜図１４に係る光ファイバ装置と同様に、反射部３２と再反射部１１との間で反射を繰り返した後、検出光ファイバ７３を経由して、検出部６で検出される。
【００９５】
図１８に係る再反射部１１は、第１光ファイバ７１の第２面７１ｂと第１の光Ｌ１の進行方向下流側で離間する位置に、配置されている。そして、図１８に係る光ファイバ装置は、接続体８内部で且つ光ファイバユニット７と出力光ファイバ体３との間に、光学体１２を備えている。
【００９６】
光学体１２は、透光性を有する透光部１３と、透光部１３の一方側（第１の光Ｌ１の進行方向上流側）に配置される再反射部１１とを備えている。そして、再反射部１１は、第１光ファイバ７１の第２面７１ｂとの間に隙間を有して、第１光ファイバ７１の第２面７１ｂと対面して配置されている。
【００９７】
光学体１２は、接続体８に着脱可能に接続されている。例えば、光学体１２は、ボルト等の固定機構（図示していない）により、接続体８に着脱可能に固定されている。なお、光学体１２は、接着剤等により、接続体８に着脱不能に固定されていてもよい。図１８に係る光ファイバ装置における第２の光Ｌ２の検出方法について、以下に、説明する。
【００９８】
第２光源５から出射された第２の光Ｌ２は、図１８に示すように、第２光ファイバ７２を経由して、反射部３２に入射する。ここで、第２の光Ｌ２は、反射部３２で反射される。そして、反射部３２で反射された第２の光Ｌ２は、再反射部１１に入射し、再反射部１１で反射される。
【００９９】
その後、第２の光Ｌ２は、反射部３２と再反射部１１との間で反射を繰り返すことにより、検出光ファイバ７３の第１面７３ａに向けて案内される。そして、検出光ファイバ７３の第１面７３ａに入射された第２の光Ｌ２は、検出光ファイバ７３の第２面７３ｂから出射し、検出部６で検出される。
【０１００】
なお、図１８に係る光ファイバ装置において、反射部は、光学体１２の透光部１３の他方側（第１の光Ｌ１の進行方向下流側）に接合されていてもよい。そして、反射部は、出力光ファイバ３１の第１面３１ａと第１の光Ｌ１の進行方向上流側で離間する位置に、配置されていてもよい。具体的には、反射部は、出力光ファイバ３１の第１面３１ａとの間に隙間を有し、出力光ファイバ３１の第１面３１ａと対面して配置されてもよい。
【０１０１】
また、光ファイバ装置は、図１９に示すように、出力光ファイバ３１の第１面３１ａと反射部３２との間に配置され且つそれぞれに接合される透光性の透光部３４を備えてもよい。これにより、反射部３２は、透光部３４を介在して、出力光ファイバ３１の第１面３１ａと第１の光Ｌ１の進行方向上流側で離間する位置に、配置されている。
【０１０２】
また、光ファイバ装置は、図１９に示すように、第１光ファイバ７１の第２面７１ｂと再反射部１１との間に配置され且つそれぞれに接合される透光性の透光部７５を備えてもよい。これにより、再反射部１１は、透光部７５を介在して、第１光ファイバ７１の第２面７１ｂと第１の光Ｌ１の進行方向下流側で離間する位置に、配置されている。
【０１０３】
また、光ファイバ装置においては、第２光源５は、連続的に第２の光Ｌ２を出射する、という構成でもよく、また、断続的に第２の光Ｌ２を出射する、という構成でもよい。
【０１０４】
また、光ファイバ装置においては、例えば、装置が起動する際に、第２光源５が小さい出力で第２の光Ｌ２を出射し、その後、制御部１２０が、各光ファイバ３１，７１〜７３が正常であると判定した後に、各光源４，５は、定格の出力で各光Ｌ１，Ｌ２を出力する、という構成でもよい。
【符号の説明】
【０１０５】
１…光ファイバ装置、２…光源装置、２ａ…第１接続部、２Ｒ…第１の光源装置、２Ｇ…第２の光源装置、２Ｂ…第３の光源装置、３…出力光ファイバ体、４…第１光源、５…第２光源、６…検出部、７…光ファイバユニット、８…接続体、９…光源装置本体部、１１…再反射部、１２…光学体、１３…透光部、３１…出力光ファイバ、３１ａ…第１面、３１ｂ…第２面、３２…反射部、３３…フェルール、３４…透光部、７１…第１光ファイバ、７１ａ…第１面、７１ｂ…第２面、７２…第２光ファイバ、７２ａ…第１面、７２ｂ…第２面、７３…検出光ファイバ、７３ａ…第１面、７３ｂ…第２面、７４…結束部、７５…透光部、１００…画像投影部、１０１…平行光学系、１０２…均一化光学系、１０３…画像形成光学系、１０４…投影光学系、１０５…画像投影本体部、１０６…第２接続部、１１０…電源、１２０…制御部、２００…スクリーン、Ｌ１…第１の光、Ｌ２…第２の光
【図１】
2016191895.tif 000003
【図２】
2016191895.tif 000004
【図３】
2016191895.tif 000005
【図４】
2016191895.tif 000006
【図５】
2016191895.tif 000007
【図６】
2016191895.tif 000008
【図７】
2016191895.tif 000009
【図８】
2016191895.tif 000010
【図９】
2016191895.tif 000011
【図１０】
2016191895.tif 000012
【図１１】
2016191895.tif 000013
【図１２】
2016191895.tif 000014
【図１３】
2016191895.tif 000015
【図１４】
2016191895.tif 000016
【図１５】
2016191895.tif 000017
【図１６】
2016191895.tif 000018
【図１７】
2016191895.tif 000019
【図１８】
2016191895.tif 000020
【図１９】
2016191895.tif 000021